(57)【要約】【課題】本考案は、軒樋に軒樋カバーと竪樋に接続した熱風発生装置を組合せ、空気の対流によってツララと雪庇を未然に防ぐことが出来る雨樋による融雪装置を提供する。【解決手段】冬季に屋根に雪が積もると、破線で示すように屋根から軒先に架けて雪庇やツララが形成される。そこで、前記熱風発生装置７を始動させ、竪樋６に熱風を供給すると、空気は暖かい方から冷たい方に自然に対流が起こるので、竪樋６の接続部２１から軒樋３に向って空気の対流が発生する。そして、竪樋６から前記軒樋３と前記軒樋カバー５に囲まれた内部空間へ熱風が送風され、トンネル状の内部空間の上方が熱風で満たされ、次いで導水板１４を越えて軒樋カバー５の取水口１６から熱風の吐き出しが起こる。前記軒樋カバー５の取水口１６から熱風が吐き出ることにより軒樋３付近の雪庇やツララに融雪現象が起こる。【選択図】図１
0003124398.tif 000002
【実用新案登録請求の範囲】
【請求項１】
家屋の屋根瓦からの雨水を受ける軒樋と、該軒樋の口縁に嵌合され、軒樋の上方開口部を塞ぐ軒樋カバーと、前記軒樋に接続され、軒樋からの雨水を集めて排水する竪樋と、該竪樋の出口付近に接続され、竪樋に熱風を供給する熱風発生装置とから構成される雨樋による融雪装置において、前記軒樋の口縁に嵌合する逆Ｕ字状の嵌合部を備えた内側壁及び外側壁と、前記内側壁及び外側壁を接続し、前記軒樋の上方開口部を塞ぐ天面壁とから構成された、軒樋カバーを前記軒樋に嵌合させてトンネル状空間を形成すると共に、前記熱風発生装置からの熱風を前記竪樋を介して前記トンネル状空間に送風し、前記軒樋カバーの外側壁に形成した雨水の取水口から熱風を吐き出すことを特徴とする雨樋による融雪装置。
【請求項２】
前記竪樋の出口部に蛇腹ホースを接続したことを特徴とする請求項１記載の雨樋による融雪装置。
【考案の詳細な説明】
【技術分野】
【０００１】
本考案は、冬季において、軒先に発生するツララや雪庇を未然に防ぐ雨樋による融雪装置に関する。
【背景技術】
【０００２】
冬季において、軒先に発生するツララや雪庇を未然に防ぐため、雨樋にヒーターや融雪体を取り付ける融雪装置はあった（特許文献１、２を参照）。
しかし、それではランニングコストが掛かり過ぎたり、雨樋にゴミが溜まり易いことが問題であった。
また寒気が強すぎると竪樋の下方出口から凍って行くという現象が起こることがあった。
【特許文献１】特開２００２−２９４９４７号公報
【特許文献２】特開平８−２８４３４２号公報
【考案の開示】
【考案が解決しようとする課題】
【０００３】
本考案は、軒樋に軒樋カバーと竪樋に接続した熱風発生装置を組合せ、空気の対流によってツララと雪庇を未然に防ぐことが出来る雨樋による融雪装置を提供することを目的とする。
【課題を解決するための手段】
【０００４】
本考案の雨樋による融雪装置は、家屋の屋根瓦からの雨水を受ける軒樋と、該軒樋の口縁に嵌合され、軒樋の上方開口部を塞ぐ軒樋カバーと、前記軒樋に接続され、軒樋からの雨水を集めて排水する竪樋と、該竪樋の出口付近に接続され、竪樋に熱風を供給する熱風発生装置とから構成される雨樋による融雪装置において、前記軒樋の口縁に嵌合する逆Ｕ字状の嵌合部を備えた内側壁及び外側壁と、前記内側壁及び外側壁を接続し、前記軒樋の上方開口部を塞ぐ天面壁とから構成された、軒樋カバーを前記軒樋に嵌合させてトンネル状空間を形成すると共に、前記熱風発生装置からの熱風を前記竪樋を介して前記トンネル状空間に送風し、前記軒樋カバーの外側壁に形成した雨水の取水口から熱風を吐き出すものである。
さらに、前記竪樋の出口部に蛇腹ホースを接続したものである。
【考案の効果】
【０００５】
本考案は、軒樋に軒樋カバーと竪樋に接続した熱風発生装置を組合せることで、空気の対流によってツララと雪庇を未然に防ぎ、ランニングコストを抑え、さらに雨水の流れが悪くなる現象を抑えることが出来る。
また同時に、竪樋下部に蛇腹ホースを付けることで、竪樋出口を地面から離したり、風向きに対して出口の向きを自在に替えることができ、竪樋の出口から進入する寒気を抑え、竪樋下部からの凍結を解消することが出来る。
【考案を実施するための最良の形態】
【０００６】
本考案の雨樋による融雪装置の一実施例を添付図面に基づいて、以下に説明する。
図１に示すように、本考案の雨樋による融雪装置は、家屋１の屋根瓦２からの雨水を受ける軒樋３と、該軒樋３の口縁４（図４を参照）に嵌合され、軒樋３の上方開口部を塞ぐ軒樋カバー５と、前記軒樋３に接続され、軒樋３からの雨水を集めて排水する竪樋６と、該竪樋６の出口付近に接続され、竪樋６に熱風を供給する熱風発生装置７とから構成される。
なお、雨樋は、本考案においては軒樋３と竪樋６とを包含するものである。
前記軒樋３は、金属製又は合成樹脂製の上方開口状の半円筒体からなり、開口両側部の口縁４を断面円形に形成しており、また図３、図４に示すように竪樋６との接続を行う接続部８を有する軒樋３を少なくとも一つ設ける。
前記軒樋カバー５は、金属製又は合成樹脂製の蓋体からなり、図３に示すように前記軒樋３の口縁４に嵌合する逆Ｕ字状の嵌合部９を備えた内側壁１０及び外側壁１１と、前記内側壁１０及び外側壁１１を接続し、前記軒樋３の上方開口部を塞ぐ天面壁１２とから構成される。
また、前記内側壁１０及び外側壁１１の長手方向の外側両下端には、前記嵌合部９が軒樋３に嵌合する際に弾性係合する係止片１３をそれぞれ設ける。
前記内側壁１０は、前記外側壁１１より長く形成されて軒樋３の屋根側に嵌合され、前記天面壁１２が屋根側から軒先へ下り勾配になるようになっている。
前記外側壁１１は、前記天面壁１２との接合部付近から下方へ延びた導水板１４を長手方向に沿って設け、前記導水板１４と前記嵌合部９との間に傾斜方向に沿った多数の仕切り板１５を形成する。
そして、前記仕切り板１５同士間に細長穴の雨水の取水口１６が長さ方向全面に形成され、前記取水口１６が前記軒樋３及び前記軒樋カバー５に囲まれた内部空間と外気とを連通するようになっている。
【０００７】
前記竪樋６は、金属製又は合成樹脂製の円筒体からなり、軒樋３からエルボ管を介して直管の竪樋６に接続しており、図２に示すように竪樋６の出口側には後述の熱風発生装置７の送風管１７との接続を行う接続部２１を有する。
また、前記竪樋６の出口には、合成樹脂製の蛇腹ホース（図示しない）を接続し、竪樋６出口を地面から離したり、出口の向きを自在に変えることができるようにする。
前記熱風発生装置７は、屋外に図１、図２に示すように収納函体１８の内部に収納され、図示しないヒーターとファンを備えており、前記熱風発生装置７から送風管１７を介して前記竪樋６の下部に熱風を送風することが出来るようになっている。
なお、前記熱風発生装置７は、家屋１の外壁に設けたコンセント１９から電源コード２０により電気を供給されるが、前記熱風発生装置７自体を屋内に設置し、外壁を貫通した送風管１７により熱風を供給することも可能である。
【０００８】
次に、本考案の雨樋による融雪装置の動作操作を添付図面に基づいて、以下に説明する。
図２に示すように、軒樋カバー５の弾性作用する係止片１３を広げて軒樋３全部の口縁４に軒樋カバー５を取り付けると、前記軒樋３と前記軒樋カバー５に囲まれた内部空間はトンネル状空間になる。
なお、冬季以外には、屋根に降った雨水は屋根瓦２から軒樋カバー５の天面壁１２へ流れ落ち、天面壁１２の傾斜に沿って流れて取水口１６の導水板１４を伝わって軒樋３に流れ落ち、軒樋３から竪樋６を介して地面Ｇ．Ｌに排水される。
さらに、竪樋６の出口部分の直管を接続部２１を有する直管に交換し、前記接続部２１に熱風発生装置７の送風管１７を接続し、さらに竪樋６の出口部に蛇腹ホース（図示せず）を取り付ける。
前記熱風発生装置７は、家屋１の外壁に設けられたコンセント１９から電源コード２０により電気が供給され、収納函体１８内に前記熱風発生装置７が収納されているので、雪に埋もれることがない。
図１に示すように、冬季に屋根に雪が積もると、破線で示すように屋根から軒先に架けて雪庇やツララが形成される。
そこで、前記熱風発生装置７を始動させ、竪樋６に熱風を供給すると、空気は暖かい方から冷たい方に自然に対流が起こるので、竪樋６の接続部２１から軒樋３に向って空気の対流が発生する。
そして、竪樋６から前記軒樋３と前記軒樋カバー５に囲まれた内部空間へ熱風が送風され、トンネル状の内部空間の上方が熱風で満たされ、次いで導水板１４を越えて軒樋カバー５の取水口１６から熱風の吐き出しが起こる。
前記軒樋カバー５の取水口１６から熱風が吐き出ることにより軒樋３付近の雪庇やツララに融雪現象が起こる。
その結果、図１の実線で示すように、雪庇やツララがなくなり、熱風で融けた融雪水は軒樋３の天面壁１２に流れ落ち、取水口１６から軒樋３に流れ、竪樋６、蛇腹ホースを介して地面Ｇ．Ｌに流れる。
このように竪樋６の出口部に熱風発生装置７を付けることにより、竪樋６そのものの凍結防止と軒樋カバー５を暖め融雪を促進する効果が得られる。
ただし、さらに気温が下がった場合、前記熱風発生装置７だけでは竪樋６下部が凍結する可能性があるため、竪樋６下部に蛇腹ホースを付けることで、竪樋６出口を地面から離したり、風向きによって出口の方向を自在に変えることで竪樋６出口の凍結も解消することができる。
【図面の簡単な説明】
【０００９】
【図１】本考案の雨樋による融雪装置を示す左側面図である。
【図２】本考案の雨樋による融雪装置を示す正面図である。
【図３】軒樋と軒樋カバーを組み合わせた状態の拡大正面図である。
【図４】図３の矢視Ａ−Ａ断面図である。
【符号の説明】
【００１０】
１  家屋
２  屋根瓦
３  軒樋
４  口縁
５  軒樋カバー
６  竪樋
７  熱風発生装置
８  接続部
９  嵌合部
１０  内側壁
１１  外側壁
１２  天面壁
１３  係止片
１４  導水板
１５  仕切り板
１６  取水口
１７  送風管
１８  収納函体
１９  コンセント
２０  電源コード
２１  接続部
【図１】
0003124398.tif 000003
【図２】
0003124398.tif 000004
【図３】
0003124398.tif 000005
【図４】
0003124398.tif 000006